(57)【要約】  【課題】  安価で安定した衝撃吸収特性を発揮する緩衝機構を備えた分子ポンプを提供すること。  【解決手段】  分子ポンプの吸気口に設けたフランジ６１に、ボルト穴１４に隣接して空洞部７２を設ける。空洞部７２は、フランジ６１を貫通する貫通孔である。これにより、ボルト穴１４と空洞部７２の間に薄肉部７１が形成される。分子ポンプに、ロータ部の破壊などによって、ロータ部の回転方向の衝撃が発生した場合、フランジ６１が分子ポンプと共にロータ部の回転方向に滑る。すると、フランジ６１と真空装置のフランジとを固定しているボルトが薄肉部７１に当たり、矢線Ｂ方向に塑性変形する。このように、薄肉部７１が塑性変形する事により、分子ポンプを回転させるエネルギーが薄肉部７１を塑性変形させるエネルギーに費やされ、分子ポンプで発生した衝撃を緩衝する。  【選択図】  図３
2004162696.tif 000002
【特許請求の範囲】
【請求項１】
吸気口及び排気口が形成された円筒形状のケーシングと、
前記ケーシング内に形成されたステータと、
前記ステータに対して同心に配設されたシャフトと、
前記シャフトを前記ステータに対して回転自在に軸支する軸受と、
前記シャフトに取り付けられ、前記シャフトと一体になって回転するロータと、
前記シャフトを駆動して回転させるモータと、
前記ケーシングの前記吸気口側に設けられ、前記ケーシングに作用する前記ロータの回転方向のトルクによる衝撃によって変形する緩衝部が設けられたフランジ部と、
を具備したことを特徴とする分子ポンプ。
【請求項２】
前記フランジ部は、
前記フランジ部を固定するための複数のボルト穴を具備しており、
前記緩衝部は、
前記ボルト穴の前記ロータの回転方向と逆方向に隣接して設けられた薄肉部を備えたことを特徴とする請求項１に記載の分子ポンプ。
【請求項３】
前記薄肉部は、前記ボルト穴の軸線方向に形成された切り欠き部を具備したことを特徴とする請求項２に記載の分子ポンプ。
【請求項４】
前記緩衝部は、前記ロータの回転方向に沿って、前記ロータのラジアル方向の幅が変化する長穴部から構成されていることを特徴とする請求項１に記載の分子ポンプ。
【請求項５】
前記長穴部は、ボルトの位置を位置決めする位置決め部を備えたことを特徴とする請求項４に記載の分子ポンプ。
【請求項６】
分子ポンプの吸気口を真空容器の排気口に接続するためのフランジであって、
前記フランジは、
前記フランジを固定するための複数のボルト穴と、
前記ボルト穴の、前記分子ポンプのロータ回転方向に隣接して設けられた薄肉部と、
を備えたことを特徴とするフランジ。
【請求項７】
吸気口及び排気口が形成された円筒形状のケーシングと、
前記ケーシング内に形成されたステータと、
前記ステータに対して同心に配設されたシャフトと、
前記シャフトを前記ステータに対して回転自在に軸支する軸受と、
前記シャフトに取り付けられ、前記シャフトと一体になって回転するロータと、
前記シャフトを駆動して回転させるモータと、
前記ケーシングの前記吸気口側に設けられ、複数のボルト穴と、前記ボルト穴の前記ロータの回転方向と逆方向に、平板状の薄肉部を隔てて形成された貫通孔と、を備えたフランジ部と、
を具備したことを特徴とする分子ポンプ。
【請求項８】
前記ボルト穴は、前記ボルトを前記薄肉部の中央へ案内する案内部を備えたことを特徴とする請求項７に記載の分子ポンプ。
【請求項９】
前記平板部の塑性変形強度は、前記ボルトの破断強度よりも小さいことを特徴とする請求項７、又は請求項８に記載の分子ポンプ。
【請求項１０】
前記ボルト穴に挿入したボルトのボルトヘッドと前記フランジとの間に介在する座金を具備し、
前記ロータの衝突による衝撃によって前記ボルトが前記薄肉部方向に移動した位置において、
前記座金の、前記ボルトの中心から前記ロータの回転方向の端部までの領域で、少なくとも前記フランジ部に接している部分が存在することを特徴とする請求項７、請求項８、又は請求項９に記載の分子ポンプ。
【発明の詳細な説明】
【技術分野】
【０００１】
本発明は分子ポンプなどに関し、例えば、真空容器の排気に用いるターボ分子ポンプに関する。
【背景技術】
【０００２】
ターボ分子ポンプやねじ溝式ポンプなどの分子ポンプは、例えば、半導体製造装置の排気や、電子顕微鏡などの高真空を要する真空容器に多用されている。
これら分子ポンプの吸気口には、フランジが設けられており、真空容器の排気口にボルトなどで固定できるようになっている。このフランジと真空容器の排気口の間にはＯリングやガスケットなどが挟んであり、分子ポンプと排気口との間の気密性が保たれるようになっている。
【０００３】
分子ポンプの内部には、回転自在に軸支され、モータ部により高速回転が可能なロータ部と、分子ポンプのケーシングに固定されたステータ部が設けられている。
分子ポンプは、ロータ部が高速回転することにより、ロータ部とステータ部が排気作用を発揮する。そして、この排気作用により、分子ポンプの吸気口より気体が吸引され、排気口から排気される。
通常、分子ポンプは、分子流領域（真空度が高く分子同士が衝突する頻度が小さい領域）にて気体を排気する。分子流領域で排気能力を発揮するためには、ロータ部は、例えば毎分３万回転程度の高速回転を行う必要がある。
【０００４】
ところで、分子ポンプの運転中に何らかのトラブルが発生し、ロータ部がステータ部やその他の分子ポンプ内の固定した部材に衝突した場合、ロータ部の角運動量がステータ部や固定部材に伝達し、分子ポンプ全体をロータ部の回転方向に回転させる大きなトルクが瞬時に発生する。このトルクは、フランジを通じて真空容器にも大きな応力を及ぼす。
そのため、このようなトルクによる衝撃を緩和するための提案として例えば次のような技術が考案されている。
【０００５】
【特許文献１】特開平１０−２７４１８９号公報
【特許文献２】特開平０８−１１４１９６号公報
【０００６】
特許文献１、特許文献２で提案されている技術は、何れもターボ分子ポンプの吸気口に設けたフランジに緩衝機構を備えたものである。
図２３は、特許文献１で提案されている緩衝機構を備えたフランジを説明するための図である。
図２３では、フランジ２０１は、ターボ分子ポンプの吸気口に設けられたものである。フランジ２０１には、フランジ２０１の円弧に沿った長穴状のボルト穴２０３が複数個、同心上に形成されている。一方、真空容器側のフランジは、外径と内径がフランジ２０１と同様であり、通常形状（内周面が円筒状）のボルト穴が同心上に形成されている。
【０００７】
フランジ２０１と真空容器側のフランジを同心上に合わせ、両者のボルト穴にボルト２０２を挿通し、これにナットをねじ込んで締め付けることにより、ターボ分子ポンプが真空容器に固定される。
ここで、ターボ分子ポンプを真空容器に取り付ける際に、ボルト２０２をボルト穴２０３のロータの回転方向側の端部で固定しておく。すると、ロータ部が破壊するなどしてステータ部などに接触し、ターボ分子ポンプをロータの回転方向に回転させるトルクが発生すると、フランジ２０１がロータの回転方向にスライドし（滑り）、ターボ分子ポンプに発生したトルクの衝撃を緩衝させることができる。
更に、特許文献１では、フランジ２０１のボルト穴（円形断面）をボルト２０２の外径より充分大きく形成しておき、ボルト２０２とボルト穴２０３の間に緩衝材を介在させる技術も開示されている。
【０００８】
特許文献２は、ロータ部の破壊などによりターボ分子ポンプに生じたトルクを、ターボ分子ポンプと真空容器を接合するボルトをくの字状に塑性変形させることにより吸収する技術が記載されている。
このようにボルトを塑性変形させるために、ターボ分子ポンプ側のフランジのボルト穴は、ロータの回転方向に長穴状に形成されていると共に、長穴の底部付近にはボルトをくの字状に変形させるための爪状の薄板部が形成されている。
【０００９】
以上の特許文献１、２で開示されている技術のように、ターボ分子ポンプのフランジ部で衝撃を吸収する構造にすると、ターボ分子ポンプの安全性が高まる他、ターボ分子ポンプのフランジ部と真空容器側のフランジ部の取り付け強度をこれら緩衝機構が無い場合に比べて小さくすることができ（緩衝機構が無い場合は、発生するトルクに耐えられるように取り付け部分の機械的強度を高める必要がある他、取り付け強度も高めなければならない）、製造コスト、作業コストなどが低減できる。
【発明の開示】
【発明が解決しようとする課題】
【００１０】
しかし、特許文献１に記載の記述では、ボルト穴２０３が長穴状に形成されているため、設置現場でのボルトの位置決め（位相合わせ）がしにくいという欠点がある。また、ボルトの締め付け具合によって、衝撃吸収の特性が変化するという不都合もある。更に、緩衝材を用いた場合は製造コストが上昇するという問題もある。
また、特許文献２に記載の技術においては、使用するボルトの性質（材質、剛性、剪断応力に対する特性など）により衝撃吸収の特性が変化する。そのため、所定の衝撃吸収特性を保証する場合は、取り付け用のボルトを指定するのが望ましい。一方、ボルトは、同じ形状で性質が異なるものが多種流通しており、別部材であるターボ分子ポンプとボルトの組み合わせを指定することは、ターボ分子ポンプの流通や取り付けを煩雑にする。また、指定したボルトと異なる種類のボルトが使用された場合、ボルトが破断してターボ分子ポンプが真空容器から脱落することも考えられる。更に、長穴に爪状の薄板部を加工すると加工コストが高くなるという問題もある。
【００１１】
そこで、本発明の目的は、安価で安定した衝撃吸収特性を発揮する緩衝機構を備えた分子ポンプを提供することである。
【課題を解決するための手段】
【００１２】
本発明は、前記目的を達成するために、請求項１に記載した発明では、吸気口及び排気口が形成された円筒形状のケーシングと、前記ケーシング内に形成されたステータと、前記ステータに対して同心に配設されたシャフトと、前記シャフトを前記ステータに対して回転自在に軸支する軸受と、前記シャフトに取り付けられ、前記シャフトと一体になって回転するロータと、前記シャフトを駆動して回転させるモータと、前記ケーシングの前記吸気口側に設けられ、前記ケーシングに作用する前記ロータの回転方向のトルクによる衝撃によって変形する緩衝部が設けられたフランジ部と、を具備したことを特徴とする分子ポンプを提供する。  請求項２に記載の発明では、前記フランジ部が、前記フランジ部を固定するための複数のボルト穴を具備しており、前記緩衝部は、前記ボルト穴の前記ロータの回転方向と逆方向に隣接して設けられた薄肉部を備えたことを特徴とする請求項１に記載の分子ポンプを提供する。
請求項３に記載の発明では、前記薄肉部が、前記ボルト穴の軸線方向に形成された切り欠き部を具備したことを特徴とする請求項２に記載の分子ポンプを提供する。
請求項４に記載の発明では、前記緩衝部が、前記ロータの回転方向に沿って、前記ロータのラジアル方向の幅が変化する長穴部から構成されていることを特徴とする請求項１に記載の分子ポンプを提供する。
請求項５に記載の発明では、前記長穴部は、ボルトの位置を位置決めする位置決め部を備えたことを特徴とする請求項４に記載の分子ポンプを提供する。
また、本発明は、前記目的を達成するために、請求項６に記載した発明では、分子ポンプの吸気口を真空容器の排気口に接続するためのフランジであって、前記フランジは、前記フランジを固定するための複数のボルト穴と、前記ボルト穴の、前記分子ポンプのロータ回転方向に隣接して設けられた薄肉部と、を備えたことを特徴とするフランジを提供する。
更に、請求項７の発明では、吸気口及び排気口が形成された円筒形状のケーシングと、前記ケーシング内に形成されたステータと、前記ステータに対して同心に配設されたシャフトと、前記シャフトを前記ステータに対して回転自在に軸支する軸受と、前記シャフトに取り付けられ、前記シャフトと一体になって回転するロータと、前記シャフトを駆動して回転させるモータと、前記ケーシングの前記吸気口側に設けられ、複数のボルト穴と、前記ボルト穴の前記ロータの回転方向と逆方向に、平板状の薄肉部を隔てて形成された貫通孔と、を備えたフランジ部と、を具備したことを特徴とする分子ポンプを提供する。
請求項８に記載の発明では、前記ボルト穴が、前記ボルトを前記薄肉部の中央へ案内する案内部を備えたことを特徴とする請求項７に記載の分子ポンプを提供する。
請求項９に記載の発明では、前記平板部の塑性変形強度は、前記ボルトの破断強度よりも小さいことを特徴とする請求項７、又は請求項８に記載の分子ポンプを提供する。塑性変形強度は、少なくとも前記ロータの回転方向に逆方向の塑性変形強度が前記ボルトの破断強度より小さければよい。
請求項１０に記載の発明では、前記ボルト穴に挿入したボルトのボルトヘッドと前記フランジとの間に介在する座金を具備し、前記ロータの衝突による衝撃によって前記ボルトが前記薄肉部方向に移動した位置において、前記座金の、前記ボルトの中心から前記ロータの回転方向の端部までの領域で、少なくとも前記フランジ部に接している部分が存在することを特徴とする請求項７、請求項８、又は請求項９に記載の分子ポンプを提供する。
【発明の効果】
【００１３】
本発明によれば、安価で安定した衝撃吸収特性を発揮する緩衝機構を備えた分子ポンプを提供することができる。
【発明を実施するための最良の形態】
【００１４】
以下、本発明の好適な実施の形態について、図１〜図１６を参照して詳細に説明する。
（１）実施形態の概要
本実施の形態では、フランジのボルト取り付け穴において、ロータ回転方向と逆の方向に面する部分に薄肉部を設ける。ロータ部がステータ部に接触するなどして分子ポンプ全体にトルクによる衝撃が発生した場合、この薄肉部が塑性変形することにより分子ポンプを回転させるエネルギーを吸収する。
薄肉部の形成パターンは各種考えられるが、例えば、図３のフランジ６１のように、ボルト穴１４に隣接して空洞部７２を設けることができる。空洞部７２は、フランジ６１を貫通する貫通孔である。すると、ボルト穴１４と空洞部７２の間に薄肉部７１が形成される。
分子ポンプに、ロータ部の破壊などによって、ロータ部の回転方向の衝撃が発生した場合、フランジ６１が分子ポンプと共にロータ部の回転方向に滑る。すると、フランジ６１と真空容器のフランジとを固定しているボルトが薄肉部７１に当たり、矢線Ｂ方向に塑性変形する。このように、薄肉部７１が塑性変形することにより、分子ポンプを回転させるエネルギーが薄肉部７１を塑性変形させるエネルギーに費やされ、分子ポンプで発生した衝撃を緩衝することができる。
【００１５】
（２）実施形態の詳細
図１は、本実施の形態の分子ポンプ１の真空容器２０５への取り付け形態の一例を示した図である。
分子ポンプ１は、高速回転するロータ部と、固定したステータ部との排気作用により、排気機能を発揮する真空ポンプであって、ターボ分子ポンプ、ねじ溝式ポンプ、あるいはこれら両方の構造を合わせ持ったポンプなどがある。
分子ポンプ１の吸気口にはフランジ６１が形成され、排気側には排気口１９が設けられている。
真空容器２０５は、半導体製造装置や電子顕微鏡の鏡塔などの真空装置を構成しており、排気口にはフランジ６２が形成されている。
【００１６】
フランジ６１、６２には、複数個のボルト穴が同心上の同じ位置に形成されている。そして、これらのボルト穴にボルト６５を挿通し、これらボルト６５にナット６６をねじ込んで締め付けることにより、分子ポンプ１は真空容器２０５の下部に取り付けられ固定されている。真空容器２０５内の気体は、分子ポンプ１の吸気口から吸引され、排気口１９から排出される。これにより、例えば、半導体製造のための反応ガスやその他のガスを真空容器２０５から排出することができる。
【００１７】
なお、図の例では、真空容器２０５の下部に分子ポンプ１を取り付け、分子ポンプが真空容器２０５からつり下げられた形になっているが、分子ポンプ１の取り付け位置はこれに限定するものではなく、分子ポンプ１を横にして真空容器２０５の横に取り付けたり、あるいは、分子ポンプ１の吸気口を下側にして真空容器２０５の上部に取り付けることもできる。
更に、真空容器２０５の排気口と分子ポンプ１の吸気口の間に排気ガスの流量を調節するための弁を設ける場合もある。
また、排気口１９は、一般にロータリーポンプなどの粗引き用ポンプに接続されている。
【００１８】
図２は、本実施の形態の分子ポンプ１の軸線方向の断面図を示した図である。
本実施の形態では、分子ポンプの一例としてターボ分子ポンプ部とねじ溝式ポンプ部を備えた、いわゆる複合翼タイプの分子ポンプを例にとり説明する。
分子ポンプ１の外装体を形成するケーシング１６は、円筒状の形状をしており、ケーシング１６の底部に設けられた円盤状のベース２７と共に分子ポンプ１の筐体を構成している。そして、ケーシング１６の内部には、分子ポンプ１に排気機能を発揮させる構造物が収納されている。
これら排気機能を発揮する構造物は、大きく分けて回転自在に軸支されたロータ部２４とケーシング１６に対して固定されたステータ部から構成されている。  また、ポンプの種類から見た場合、吸気口６側がターボ分子ポンプ部により構成され、排気口１９側がねじ溝式ポンプ部から構成されている。
【００１９】
ロータ部２４は、吸気口６側（ターボ分子ポンプ部）に設けられたロータ翼２１と、排気口１９側（ねじ溝式ポンプ部）に設けられた円筒部材２９、及びシャフト１１などから構成されている。ロータ翼２１は、シャフト１１の軸線に垂直な平面から所定の角度だけ傾斜してシャフト１１から放射状に伸びたブレードから構成されており、ターボ分子ポンプ部では、これらロータ翼２１が軸線方向に複数段形成されている。
円筒部材２９は、外周面が円筒形状をした部材であり、ねじ溝式ポンプ部のロータ部２４を構成している。
シャフト１１は、ロータ部２４の軸を構成する円柱部材であって、その上端部にはロータ翼２１と円筒部材２９からなる部材がボルト２５によりねじ止めされている。
【００２０】
シャフト１１の軸線方向中程には、外周面に永久磁石が固着してあり、モータ部１０のロータを構成している。この永久磁石がシャフト１１の外周に形成する磁極は、外周面の半周に渡ってＮ極となり、残り半周に渡ってＳ極となるようになっている。
更に、シャフト１１のモータ部１０に対して吸気口６側、及び排気口１９側には、シャフト１１をラジアル方向に軸支するための磁気軸受部８、１２のロータ部２４側の部分が形成されており、シャフト１１の下端には、シャフト１１を軸線方向（スラスト方向）に軸支する磁気軸受部２０のロータ部２４側の部分が形成されている。
また、磁気軸受部８、１２の近傍には、それぞれ変位センサ９、１３のロータ側の部分が形成されており、シャフト１１のラジアル方向の変位が検出できるようになっている。更に、シャフト１１の下端には変位センサ１７のロータ側の部分が形成されており、シャフト１１の軸線方向の変位が検出できるようになっている。
これら、磁気軸受部８、１２及び変位センサ９、１３のロータ側の部分は、ロータ部２４の回転軸線方向に鋼板を積層した積層鋼板により構成されている。これは、磁気軸受部８、１２、変位センサ９、１３のステータ側の部分を構成するコイルが発生する磁界によって、シャフト１１に渦電流が発生するのを防ぐためである。
以上に説明したロータ部２４はステンレスやアルミニウム合金などの金属を用いて構成されている。
【００２１】
ケーシング１６の内周側には、ステータ部が形成されている。このステータ部は、吸気口６側（ターボ分子ポンプ部）に設けられたステータ翼２２と、排気口１９側（ねじ溝式ポンプ）に設けられたねじ溝スペーサ５などから構成されている。
ステータ翼２２は、シャフト１１の軸線に垂直な平面から所定の角度だけ傾斜してケーシング１６の内周面からシャフト１１に向かって伸びたブレードから構成されており、ターボ分子ポンプ部では、これらステータ翼２２が軸線方向に、ロータ翼２１と互い違いに複数段形成されている。各段のステータ翼２２は、円筒形状をしたスペーサ２３により互いに隔てられている。
【００２２】
ねじ溝スペーサ５は、内周面にらせん溝７が形成された円柱部材である。ねじ溝スペーサの内周面は、所定のクリアランス（間隙）を隔てて円筒部材２９の外周面に対面するようになっている。ねじ溝スペーサ５に形成されたらせん溝７の方向は、らせん溝７内をロータ部２４の回転方向にガスが輸送された場合、排気口１９に向かう方向である。らせん溝７の深さは排気口１９に近づくにつれ浅くなるようになっており、らせん溝７を輸送されるガスは排気口１９に近づくにつれて圧縮されるようになっている。
これらステータ部はステンレスやアルミニウム合金などの金属を用いて構成されている。
【００２３】
ベース２７は、円盤形状を有した部材であって、ラジアル方向中央には、ロータの回転軸線と同心に円筒形状を有するステータコラム１８が、吸気口６方向に取り付けられている。
ステータコラム１８は、モータ部１０、磁気軸受部８、１２、及び変位センサ９、１３のステータ側の部分を支持している。
モータ部１０では、所定の極数のステータコイルがステータコイルの内周側に等間隔で配設され、シャフト１１に形成された磁極の周囲に回転磁界を発生できるようになっている。また、ステータコイルの外周には、ステンレスなどの金属で構成された円筒部材であるカラー４９が配設されており、モータ部１０を保護している。
【００２４】
磁気軸受部８、１２は、回転軸線の回りの９０度ごとに配設されたコイルから構成されている。そして、磁気軸受部８、１２は、これらコイルの発生する磁界でシャフト１１を吸引することにより、シャフト１１をラジアル方向に磁気浮上させる。
ステータコラム１８の底部には、磁気軸受部２０が形成されている。磁気軸受部２０は、シャフト１１から張り出した円板と、この円板の上下に配設されたコイルから構成されている。これらコイルが発生する磁界がこの円板を吸引することにより、シャフト１１が軸線方向に磁気浮上する。
【００２５】
ケーシング１６の吸気口６には、ケーシング１６の外周側に張り出したフランジ６１が形成されている。フランジ６１には、ボルト６５を挿通するためのボルト穴１４と、真空容器２０５側のフランジ６２との気密性を保つためのＯリングを装着するための溝１５が形成されている。フランジ６１には、分子ポンプ１でロータ部２４の回転方向の衝撃が生じた場合、これを緩衝するための機構が設けられている。この機構については後ほど詳細に説明する。
【００２６】
以上のように構成された分子ポンプ１は、以下のように動作し、真空容器２０５からガスを排出する。
まず、磁気軸受部８、１２、２０がシャフト１１を磁気浮上させることにより、ロータ部２４を非接触で空間中に軸支する。
次に、モータ部１０が作動し、ロータを所定の方向に回転させる。回転速度は例えば毎分３万回転程度である。本実施の形態では、ロータ部２４の回転方向を図２の矢線Ａ方向にみて時計回り方向とする。なお、反時計回り方向に回転するように分子ポンプ１を構成することも可能である。
ロータ部２４が回転すると、ロータ翼２１とステータ翼２２の作用により、吸気口６からガスが吸引され、下段に行くほど圧縮される。
ターボ分子ポンプ部で圧縮されたガスは、更にねじ溝ポンプ部で圧縮され、排気口１９から排出される。
【００２７】
図３は、フランジ６１を図２の矢線Ａ方向に見たところを示した図である。図を簡略化するため、Ｏリング用の溝１５と分子ポンプ１の内部構造は図示していない。
図に示したように、フランジ６１には同心上に所定間隔でボルト穴１４が複数個形成されている。
ボルト穴１４は、ロータ部２４の回転方向に長穴形状となっており、ロータ部２４の回転方向の端部の幅が広く、逆方向の他端部に行くに従って幅が狭くなるように概略くさび型になっている。
【００２８】
ボルト穴１４のロータ部２４の回転方向の端部は、所定のクリアランスを隔ててボルト６５が挿入できるように、ボルト６５と相似形状の円弧状となっており、ボルト６５は、この端部に挿入される。
ボルト穴１４の幅は他端部にかけて小さくなるため、ボルト６５を他端部方向にスライドさせようとすると、ボルト６５の外径がボルト穴１４の内壁に当たり、ボルト６５を他端部方向にスライドできないようになっている。このようにして、ボルト６５は、ボルト穴１４の端部に位置決めされるようになっている。
ボルト穴１４の外周側には、長穴方向に沿ってフランジ６１を貫通する空洞部７２が設けてあり、これにより、ボルト穴１４と空洞部７２の間に薄肉部７１が形成されている。
薄肉部７１の厚さは、フランジ６１の材質や厚さなどにもよるが、０．５ミリメートル程度から数ミリ程度である。
【００２９】
次に、このように、構成されたフランジ６１の緩衝機能について説明する。
分子ポンプ１で、ロータ部２４が高速回転しているときに、これが破断するなどしてステータ部などに衝突すると、分子ポンプ１の全体をロータ部２４の回転方向に回転させようとするトルクによる衝撃が発生する。
すると、この衝撃によりフランジ６１が真空容器２０５のフランジ６２に対してロータ部２４の回転方向に滑って回転しようとする。
【００３０】
一方、ボルト６５の位置はフランジ６２で固定されているため（フランジ６２のボルト穴は通常の円形のボルト穴とする）、フランジ６１がロータ部２４の回転方向に回転すると、ボルト６５はボルト穴１４内において、他端部方向に相対的に移動することになる。
ボルト穴１４は他端部方向にかけて穴の幅が狭くなるため、ボルト穴２４の内周の側壁がボルト６５に当たり、薄肉部７１が矢線Ｂ方向（ロータ部２４の回転方向と逆の方向の接線方向からラジアル方向外側に向いた方向）に押されて塑性変形する。
薄肉部７１が塑性変形する過程で分子ポンプ１を回転させるエネルギーが塑性変形に消費され、これによって、衝撃が緩和される。
【００３１】
以上に述べたように、本実施の形態では、フランジ６１に、分子ポンプ１を回転させるトルクによって塑性変形するように構成された緩衝機構を備えることによって、万が一ロータ部２４が破断したり、あるいは、半導体製造装置で反応ガスを排出する際にロータ部２４やステータ部などに積層した堆積物が分子ポンプ１内で衝突したりなどの不具合が発生した場合でも、安全性を高めることができる。
また、ボルト穴１４や空洞部７２にゴムやその他の弾性部材を緩衝部材として充填してもよい。
更に、フランジ６１のボルト穴１４は通常の円形断面のねじ穴とし、真空容器２０５側のフランジ６２のボルト穴に薄肉部を設けたり、あるいは、フランジ６１、６２の双方のボルト穴に薄肉部を設けるように構成することもできる。
【００３２】
図４は、フランジ６１の他の例に係るフランジ６１ａを説明するための図である。
フランジ６１ａは、フランジ６１の空洞部７２を切り欠き部７３としたものである。
ロータ部２４が破壊するなどして分子ポンプ１にロータ部２４の回転方向の大きなトルクが生じて回転した場合、ボルト６５が薄肉部７１に当たって薄肉部７１が矢線Ｂ方向に塑性変形する。これにより、分子ポンプ１の回転エネルギーが吸収され、分子ポンプ１に生じた衝撃が緩和される。
切り欠き部７３の加工は、空洞部７２の加工よりも容易であるため、製造コストを低くすることができる。
【００３３】
図５は、フランジ６１の他の例に係るフランジ６１ｂを説明するための図である。
フランジ６１ｂでは、ボルト穴１４は円形断面を有する通常のボルト穴となっており、ボルト６５を位置決めすることができる。そして、ボルト穴１４のロータ部２４の回転方向と逆方向に所定の距離を隔てて空洞部７７が形成されている。空洞部７７は、ボルト穴１４より内径の小さい円形断面を有する貫通孔である。ボルト穴１４と空洞部７７の間にある部分が薄肉部７６を構成している。
このように構成されたフランジ６１ｂを用いた分子ポンプ１に、ロータ部２４の回転方向の大きなトルクが発生して回転すると、ボルト穴１４に挿通されたボルト６５により、薄肉部７６と空洞部７７が矢線Ｃ方向（ロータ部２４の回転方向と逆方向）に圧迫されて塑性変形する。これにより衝撃が吸収される。
【００３４】
図６は、フランジ６１の他の例に係るフランジ６１ｃを説明するための図である。
フランジ６１ｃでは、ボルト穴１４は円形断面を有する通常のボルト穴となっている。そして、ボルト穴１４のロータ部２４の回転方向と逆方向に所定の距離を隔てて空洞部７９が形成されている。空洞部７９は、ボルト穴１４より内径の小さい円形断面を有する貫通孔である。そして、更に空洞部７９からロータ部２４の回転方向と逆方向に所定の距離を隔てて空洞部８０が形成されている。空洞部８０は、空洞部７９より内径が小さい円形断面を有する貫通孔である。
ボルト穴１４と空洞部７９の間、及び空洞部７９と空洞部８０の間にある部分が薄肉部を構成している。
このように構成されたフランジ６１ｃを用いた分子ポンプ１に、ロータ部２４の回転方向の大きなトルクが発生して回転すると、ボルト穴１４に挿通されたボルト６５により、これら薄肉部、及び空洞部７９、８０が矢線Ｃ方向（ロータ部２４の回転方向と逆方向）に圧迫されて塑性変形する。これにより衝撃が吸収される。
【００３５】
図７は、フランジ６１の他の例に係るフランジ６１ｄを説明するための図である。
フランジ６１ｄでは、ボルト穴１４は円形断面を有する通常のボルト穴となっている。そして、ボルト穴１４のロータ部２４の回転方向と逆方向に所定の距離を隔てて空洞部８３が形成されている。空洞部８３は、ボルト穴１４と内径の等しい円形断面を有する貫通孔である。ボルト穴１４と空洞部８３の間にある部分が薄肉部８２を構成している。
このように構成されたフランジ６１ｄを用いた分子ポンプ１に、ロータ部２４の回転方向の大きなトルクが発生して回転すると、ボルト穴１４に挿通されたボルト６５により、薄肉部８２、及び空洞部８３が矢線Ｃ方向（ロータ部２４の回転方向と逆方向）に圧迫されて塑性変形する。これにより衝撃が吸収される。
また、空洞部８３の内径をボルト穴１４より大きくなるように構成することもできる。
【００３６】
図８は、フランジ６１の他の例に係るフランジ６１ｅを説明するための図である。
フランジ６１ｅでは、ボルト穴１４は円形断面を有する通常のボルト穴となっている。そして、ボルト穴１４のロータ部２４の回転方向と逆方向に所定の距離を隔てて空洞部８６が形成されている。空洞部８６は、ボルト穴１４と内径の等しい円形断面を有する貫通孔である。この例では、ボルト穴１４と空洞部８６の中心間の距離がボルト穴１４の半径と空洞部８６の半径の和より小さくなるように設定されており、ボルト穴１４と空洞部８６は連接している。
そして、ボルト穴１４と空洞部８６の連接部分のくびれた部位が薄肉部８５を形成している。
このように構成されたフランジ６１ｅを用いた分子ポンプ１に、ロータ部２４の回転方向の大きなトルクが発生して回転すると、ボルト穴１４に挿通されたボルト６５により、薄肉部８５が矢線Ｃ方向（ロータ部２４の回転方向と逆方向）に圧迫されて塑性変形する。これにより衝撃が吸収される。
【００３７】
図９は、フランジ６１の他の例に係るフランジ６１ｆを説明するための図である。
フランジ６１ｆでは、ボルト穴１４は円形断面を有する通常のボルト穴となっている。そして、ボルト穴１４のロータ部２４の回転方向と逆方向に所定の距離を隔てて、断面形状が三日月型をした貫通孔から構成された空洞部８９が形成されている。空洞部８９の三日月型断面は、凹部が薄肉部８８を隔ててボルト穴１４に面するように配置されている。そして、凹部のＲ形状は薄肉部８８の厚さが略均等になるように設定されている。
このように構成されたフランジ６１ｆを用いた分子ポンプ１に、ロータ部２４の回転方向の大きなトルクが発生して回転すると、ボルト穴１４に挿通されたボルト６５により、薄肉部８８が矢線Ｃ方向（ロータ部２４の回転方向と逆方向）に圧迫されて塑性変形する。これにより衝撃が吸収される。
【００３８】
図１０は、フランジ６１の他の例に係るフランジ６１ｇを説明するための図である。
フランジ６１ｇでは、ボルト穴１４は円形断面を有する通常のボルト穴となっている。そして、ボルト穴１４のロータ部２４の回転方向と逆方向に所定の距離を隔てて空洞部９２が形成されている。
空洞部９２は、円形断面を有する３つの貫通孔から構成されている。これらの貫通孔のうち、２つは内径が同じであり、ボルト穴１４から肉薄部９１を隔てて、ラジアル方向に整列して形成されている。そして、これら２つの貫通孔の中間がボルト穴１４の中心を通り、フランジ６１ｇに同心な円周上に位置するように設定されている。そして、残りの１つの貫通孔は、先の２つの貫通孔の更にロータ部２４の回転方向と逆方向側に形成されており、その中心がボルト穴１４の中心を通り、フランジ６１ｇに同心な円周上に位置するようになっている。
【００３９】
このように空洞部９２においては、空洞部９２とボルト穴１４に薄肉部９１が形成される他、空洞部９２を構成する３つの貫通孔間にも薄肉部が形成される。  このように構成されたフランジ６１ｇを用いた分子ポンプ１に、ロータ部２４の回転方向の大きなトルクが発生して回転すると、ボルト穴１４に挿通されたボルト６５により、薄肉部９１、及び空洞部９２を構成する３つの貫通孔間の薄肉部が矢線Ｃ方向（ロータ部２４の回転方向と逆方向）に圧迫されて塑性変形する。これにより衝撃が吸収される。
【００４０】
図１１は、フランジ６１の他の例に係るフランジ６１ｈを説明するための図である。
フランジ６１ｈでは、ボルト穴１４は円形断面を有する通常のボルト穴となっている。そして、ボルト穴１４のロータ部２４の回転方向と逆方向に薄肉部９４を隔てて切り欠き部９５が形成されている。
切り欠き部９５は、薄肉部９４からフランジ６１ｈの円周の接線方向からラジアル方向外側に向いた方向（図１１中の矢線Ｄ方向）に形成されている。
このように構成されたフランジ６１ｈを用いた分子ポンプ１に、ロータ部２４の回転方向の大きなトルクが発生して回転すると、ボルト穴１４に挿通されたボルト６５により、薄肉部９４が矢線Ｄ方向に圧迫されて塑性変形する。これにより衝撃が吸収される。
【００４１】
図１２は、フランジ６１の他の例に係るフランジ６１ｉを説明するための図である。
フランジ６１ｉでは、ボルト穴１４は円形断面を有する通常のボルト穴となっている。そして、ボルト穴１４のロータ部２４の回転方向と逆方向に薄肉部９７を隔てて切り欠き部９８が形成されている。
切り欠き部９８は、薄肉部９７を隔てて、フランジ６１ｉの外周をラジアル方向にえぐるように構成されている。
このように構成されたフランジ６１ｉを用いた分子ポンプ１に、ロータ部２４の回転方向の大きなトルクが発生して回転すると、ボルト穴１４に挿通されたボルト６５により、薄肉部９７が矢線Ｃ方向に圧迫されて塑性変形する。これにより衝撃が吸収される。
【００４２】
図１３は、フランジ６１の他の例に係るフランジ６１ｊを説明するための図である。
フランジ６１ｊでは、ボルト穴１４は円形断面を有する通常のボルト穴となっている。そして、ボルト穴１４のロータ部２４の回転方向と逆方向に薄肉部１００を隔てて空洞部１０１が形成されている。
空洞部１０１は、２つの円弧状の貫通孔から形成されている。これら２つの貫通孔は、所定の距離を隔て、かつ凹部がボルト穴１４に面するように円周方向に並んで配置されている。このように、２つの貫通孔の間にも薄肉部１０２が形成されている。
このように構成されたフランジ６１ｊを用いた分子ポンプ１に、ロータ部２４の回転方向の大きなトルクが発生して回転すると、ボルト穴１４に挿通されたボルト６５により、薄肉部１００と薄肉部１０２が矢線Ｃ方向（ロータ部２４の回転方向と逆方向）に圧迫されて塑性変形する。これにより衝撃が吸収される。
【００４３】
図１４は、フランジ６１の他の例に係るフランジ６１ｋを説明するための図である。
フランジ６１ｋでは、ボルト穴１４は円形断面を有する通常のボルト穴となっている。そして、ボルト穴１４のロータ部２４の回転方向と逆方向に薄肉部１０３を隔てて空洞部１０４が形成されている。
空洞部１０４は、２つの長穴状の貫通孔から形成されている。これら２つの貫通孔は、所定の距離を隔て、かつ長穴の曲率が大きい側面がボルト穴１４に面するように円周方向に並んで配置されている。このように、２つの貫通孔の間にも薄肉部１０５が形成されている。
このように構成されたフランジ６１ｋを用いた分子ポンプ１に、ロータ部２４の回転方向の大きなトルクが発生して回転すると、ボルト穴１４に挿通されたボルト６５により、薄肉部１０３と２つの貫通孔の間に形成された薄肉部１０５が矢線Ｃ方向（ロータ部２４の回転方向と逆方向）に圧迫されて塑性変形する。これにより衝撃が吸収される。
【００４４】
図１５は、フランジ６１の他の例に係るフランジ６１ｌを説明するための図である。
フランジ６１ｌでは、ボルト穴１４は円形断面を有する通常のボルト穴となっている。そして、ボルト穴１４のロータ部２４の回転方向と逆方向に薄肉部１１３を隔てて空洞部１０９が形成されている。
空洞部１０９は、円形断面を有する貫通孔１１０、１１１、１１２から構成されている。貫通孔１１１は、内周側に、貫通孔１１０は外周側に、及び貫通孔１１２は貫通孔１１０、１１１の間に形成されている。
貫通孔１１０の中心と貫通孔１１２の中心との距離が貫通孔１１０、１１２の半径の和よりも小さくなっており、貫通孔１１０、１１２は、連続した貫通孔となっている。
【００４５】
同様に、貫通孔１１１の中心と貫通孔１１２の中心との距離が貫通孔１１１、１１２の半径の和よりも小さくなっており、貫通孔１１１、１１２は、連続した貫通孔となっている。また、空洞部１０９では、貫通孔１１２の内径が、貫通孔１１１、１１０の内径よりも大きく設定されているが、何れも同じ内径としても良いし、貫通孔１１２の内径を貫通孔１１０、１１１の内径より小さくしても良い。
そして、貫通孔１１２の中心は、貫通孔１１０、１１１の中心よりも矢線Ｃ方向（ロータ部２４の回転方向と逆方向）に位置している。このため、空洞部１０９とボルト穴１４の間に形成された薄肉部１１１は、矢線Ｃ方向に凸となっている。
【００４６】
このように構成されたフランジ６１ｌを用いた分子ポンプ１に、ロータ部２４の回転方向の大きなトルクが発生して回転すると、ボルト穴１４に挿通されたボルト６５により、薄肉部１０９が矢線Ｃ方向（ロータ部２４の回転方向と逆方向）に圧迫されて塑性変形する。これにより衝撃が吸収される。
空洞部１０９は、フライス盤などで３カ所貫通孔を形成するだけでできるので、加工が容易である。
【００４７】
図１６（ａ）は、フランジ６１の他の例に係るフランジ６１ｍを説明するための図である。図１６（ｂ）は、ボルト穴１４付近を拡大した図である。
フランジ６１ｍでは、ボルト穴１４は円形断面を有する通常のボルト穴となっている。
そして、ボルト穴１４の矢線Ｃ方向（ロータ部２４の回転方向と逆方向）で、ボルト穴１４中心からの距離がボルト穴１４の内径より小さい位置に、ラジアル方向に長穴形状の貫通孔となった長穴１１９が形成されている。そのため、ボルト穴１４は、矢線Ｃ方向で、長穴１１９と連続している。長穴１１９の長穴方向の内径は、ボルト穴１４の内径よりも大きく設定されている。
【００４８】
また、長穴１１９のＣ方向の位置は、長穴１１９内でボルト穴１４の内径を延長した円弧が長穴１１９の内周面と接する位置に設定されている。そして、長穴１１９のＣ方向には、長穴１１９と相似形状の長穴１１５、１１６が形成されており、長穴１１９と長穴１１５の間に薄肉部１１７が形成されている。更に、長穴１１５と長穴１１６の間に薄肉部１１８が形成されている。
このように構成されたフランジ６１ｍを用いた分子ポンプ１に、ロータ部２４の回転方向の大きなトルクが発生して回転すると、ボルト穴１４に挿通されたボルト６５により、薄肉部１１７が矢線Ｃ方向（ロータ部２４の回転方向と逆方向）に圧迫されて塑性変形する。そして、塑性変形した薄肉部１１７が更に薄肉部１１８を圧迫して塑性変形させる。このように、薄肉部１１７、１１８が塑性変形することにより、衝撃が吸収される。
【００４９】
以上、フランジ６１のボルト穴１４の近傍に塑性変形可能な薄肉部を設けることにより緩衝機構を構成したが、薄肉部の形状は、以上に示した例に限定するものではなく、この他に各種の形態が考えられる。
また、分子ポンプ１は、ターボ分子ポンプ部とねじ溝式ポンプ部から構成された複合翼タイプとしたが、分子ポンプ１の種類はこれに限定するものではなく、吸気口６側から排気口１９側まで、全てステータ翼とロータ翼で構成された全翼タイプのターボ分子ポンプ
以上に説明した本実施の形態により、以下のような効果を得ることができる。（１）ボルト穴１４の近傍に空洞部や切り欠き部などを設けることにより薄肉部を形成するという簡単な構造で、ロータ部２４の回転方向の衝撃を効果的に吸収することができる。
（２）構造が簡単であるので安価に製造することかできる。
（２）フランジ６１に緩衝機構を構成するので、分子ポンプ１の内部構造を問わずに適用することができる。
（３）フランジ６１が緩衝機構を備えているので、従来より、分子ポンプ１と真空容器２０５の接合部の強度が低くても実用に耐えるため、例えば、ボルト６５の本数を減らしたり、あるいは従来より強度の低いボルト６５を使用したりできる他、シェル状の安全カバー（分子ポンプ１全体を覆う安全カバー）の設置の必要が無くなり、トータルコストダウンが可能となる。
（４）ボルト穴１４でボルト６５の位置決めが容易であるので、作業性が向上する。
【００５０】
次に、コンピュータを用いた解析が容易な緩衝機構の例について説明する。
近年コンピュータによる解析技術の進歩が著しく、シミュレーションによって、予め緩衝機構による緩衝効果を計算できるようになってきた。
分子ポンプは、高価な製品であるので、予めコンピュータでシミュレーションを行って緩衝機構の形状の候補を絞った後、実験を行うようにすると、実物の分子ポンプを用いた実験回数を最小限に抑えることができる。
特に、分子ポンプは、高価な製品であるので、このようにシミュレーションを行うことにより開発コストを低減することができる。
【００５１】
シミュレーションは、緩衝機構の形状、寸法、材質などの諸元をパラメータとして設定して計算対象となるモデルを作成した後、分子ポンプで発生する衝撃の大きさを入力し、緩衝機構がどのようにこの衝撃を吸収するかを数値計算する。数値計算には、例えば、有限要素法などの公知の理論を適用する。
パラメータを変化させながら所望の効果を発揮する緩衝機構の候補を絞り込んだ後、実際に分子ポンプの破壊実験を行って、シミュレーション結果と比較する。
比較結果により、実際に実施する緩衝機構を決定する。
【００５２】
以上のようにシミュレーションを行って緩衝機構を設計する場合、計算が容易であり、かつ加工が容易である形状を選択することが重要である。
このような要請を満たす形状として、例えば、薄肉部を平板形状に形成したものがある。
薄肉部が平板状であると、塑性変形する部分の肉厚が均一であるので、計算が非常に容易である。また加工も容易であり、更に実験結果との一致も良好である。
【００５３】
以下に、図１７、図１８を用いて薄肉部を平板状に形成した場合の例について説明する。
図１７（ａ）は、フランジ６１の他の例に係るフランジ６１ｎを説明するための図であり、図１７（ｂ）は、ボルト穴１４付近を拡大した図である。
フランジ６１ｎでは、ボルト穴１４は円形断面を有する通常のボルト穴となっている。
そして、ボルト穴１４の矢線Ｃ方向（ロータ部２４の回転方向と逆方向）で、ボルト穴１４中心からの距離がボルト穴１４の内径より小さい位置に、ラジアル方向に長穴形状の貫通孔となった長穴１２４が形成されている。そのため、長穴１２４は、矢線Ｃ方向で、ボルト穴１４と連続している。長穴１２４の長穴方向の内径は、ボルト穴１４の内径よりも大きく設定されている。
【００５４】
更に、長穴１２４のＣ方向の位置は、長穴１１９内でボルト穴１４の内径を延長した円弧が長穴１２４の内周面と接する位置に設定されている。そして、長穴１２４のＣ方向には、長穴１２４と相似形状の貫通孔である長穴１２０が長穴１２４と平行に形成されており、長穴１２４と長穴１２０の間に薄肉部１２２が形成されている。
長穴１２４と長穴１２０は平行であるため、薄肉部１２２は、肉厚が一定となり平板状となっている。
【００５５】
このように構成されたフランジ６１ｎを用いた分子ポンプ１に、ロータ部２４の回転方向の大きなトルクが発生して回転すると、ボルト穴１４に挿通されたボルト６５（図示せず）により、薄肉部１２２が矢線Ｃ方向（ロータ部２４の回転方向と逆方向）に圧迫されて塑性変形し、衝撃が吸収される。
【００５６】
図１８は、（ａ）は、フランジ６１の他の例に係るフランジ６１ｐを説明するための図であり、図１８（ｂ）は、ボルト穴１４付近を拡大した図である。
フランジ６１ｐの緩衝部は、円形断面を有するボルト穴１４、ボルト６５を薄肉部１３２に案内する案内部１３６、薄肉部１３２を形成するための貫通孔である長穴１３４、１３０から構成されている。
ボルト穴１４は、ボルト６５を挿通するための貫通孔である。ボルト穴１４の内径は、ボルト６５の外径より所定の値だけ大きく設定されており、ボルト穴１４の内壁面とボルト６５の外面部は所定のクリアランスが設定されてる。
【００５７】
ボルト穴１４の矢線Ｃ方向（ロータ部２４の回転方向と逆方向）には、案内部１３６を介して長穴１３４が連通している。
案内部１３６は、ラジアル方向に形成された間隙であり、この間隙の幅はボルト６５の外径と同程度か、あるいは、ボルト６５の外径より大きく、ボルト穴１４の内径より小さく設定されている。
ロータ部２４の回転方向に大きなトルクが発生し、フランジ６１ｐが回転した場合、ボルト６５は、案内部１３６を通過して薄肉部１３２の中央に導かれるようになっている。
シミュレーションは、ボルト６５が薄肉部１３２の中央に衝突するという想定で行われており、案内部１３６を形成することによりボルト６５をシミュレーションで想定した位置に導くことができる。
【００５８】
長穴１３４の矢線Ｃ方向には、長穴１３４と平行に長穴１３０が形成されいる。長穴１３４と長穴１３０の長手方向の長さは同じに設定されており、長穴１３４と長穴１３０の間に薄肉部１３２が形成されている。
薄肉部１３２は、長穴１３４と長穴１３０の長手方向の内壁面によって形成されており、厚さが一定で平板状の形状を成している。
薄肉部１３２の厚さは、シミュレーションと実験を行うことにより設定されている。
薄肉部１３２のフランジ６１ｐ径方向の長さは、例えば、少なくとも案内部１３６の塑性変形時にボルト６５の側面が接触する長さとしている。
また、薄肉部１３２に生じる塑性変形が、ボルト６５に接触する部分を越えた領域に広がる場合は、塑性変形が及ぶ領域を平板状に形成することができる。
【００５９】
このように構成されたフランジ６１ｐを用いた分子ポンプ１に、ロータ部２４の回転方向の大きなトルクが発生して回転すると、ボルト穴１４に挿通されたボルト６５は、フランジ６１ｐに対して矢線Ｃ方向に移動する。
このとき、ボルト６５は、案内部１３６に案内されて薄肉部１３２の中央部に衝突する。薄肉部１３２は、この衝突により塑性変形し、衝撃を緩衝する。
このように、案内部１３６を設けてボルト６５を導くことにより、ボルト６５を薄肉部１３２のねらった位置（中央部）に衝突させることができ、薄肉部１３２をシミュレーションで計算した通りに塑性変形させることができる。
【００６０】
図１９は、薄肉部１３２の塑性変形強度とボルト６５の破断強度の関係を説明するための図である。
図１９（ａ）は、図１８（ａ）のボルト穴１４を示している。ここで、ボルト６５の中心を原点Ｏとし、原点Ｏから、ロータ部２４の回転方向と逆方向にｘ軸をとる。変形後の薄肉部１３２は点線で示してある。
分子ポンプ１が回転すると、ボルト６５は、ｘ＝ａで薄肉部１３２に接し、薄肉部１３２を変形させながらｘ＝ｂに達する。
【００６１】
図１９（ｂ）は、ボルト６５の移動量を横軸にとり、ボルト６５の移動に伴ってボルト６５に作用する加重Ｐ（ｘ）を縦軸にとったグラフである。
図１９（ｂ）に示したように、ボルト６５には、ｘ＝ａで加重Ｐ（ｘ）が作用し始め、ｘ＝ｂに至るまで徐々に加重が増大する。この区間では主に薄肉部１３２が変形する。
ボルト６５がｘ＝ｂに達すると、薄肉部１３２は長穴１３０の側面に当たってこれ以上変形せず、以降はボルト６５が変形する。ボルト６５が変形しながら＋ｘ方向に移動する区間では、加重Ｐ（ｘ）は、急激に増大し、破断点に達すると、ボルト６５は破断する。
【００６２】
本実施の形態では、薄肉部１３２の塑性変形強度がボルト６５の破断強度よりも小さくなるように設定されているため、上述したように、薄肉部１３２の変形に要する加重Ｐ（ｘ）よりも、ボルト６５の破断に要する加重Ｐ（ｘ）の方が大きくなる。そのため、ボルト６５が破断する前に、薄肉部１３２を最大限変形させることができる。そのため、薄肉部１３２が変形し終える前にボルト６５が破断することを防ぐことができ、薄肉部１３２が緩衝効果を十分に発揮することができる。
【００６３】
図２０は、薄肉部１３２の塑性変形強度を決定するパラメータを説明するための図である。
薄肉部１３２の塑性変形強度は、薄肉部１３２の厚さｔ、薄肉部１３２の長さＬ、フランジ６１の厚さＴ、及びフランジ６１の材質などで決定される。
これらのパラメータをシミュレーションソフトに入力すると、薄肉部１３２の塑性変形強度が自動的に算出される。
ボルト６５の破断強度は予めわかっており、フランジ６１の材質と厚さＴは、予め決めてあるので、薄肉部１３２の厚さｔ、薄肉部１３２の長さＬを変化させながら、条件を満たす範囲で薄肉部１３２の形状を設計する。
【００６４】
次に、ボルト６５に装着する座金（ワッシャ）について説明する。
以下では、フランジ６１ｐとボルト６５の間に装着する場合を例に取り説明するが、他の種類のフランジ６１に対して適用することもできる。
図２１（ａ）、（ｂ）は、従来の座金について説明するための図である。図２１（ａ）は平面図であり、図２１（ｂ）は断面図である。
座金１４１は、外径がボルト６５のボルトヘッドの外径よりも大きく、内径がボルト６５のねじ部の外径よりも大きいリング形状を有した円板部材である。
座金１４１は、ボルト６５を挿通することによりフランジ６１ｐに装着され、装着時は、ボルトヘッドによりフランジ６１ｐの表面に押圧されている。
【００６５】
このように構成された座金１４１は、薄肉部１３２の変形時にボルト６５と共に矢線Ｃ方向（ロータ部２４の回転方向と逆方向）に移動する。
この際、ボルト６５は、薄肉部１３２から矢線Ｃ方向と逆方向に力を受ける。そのため、図２１（ｂ）に示したように、ボルト穴１４２の矢線Ｃ方向と逆側の座金端部１４２に、ボルト穴１４に落ち込む方向に作用する力Ｆが作用する。
ところが、座金端部１４２は、ボルト穴１４の上に位置しており、力Ｆに対向してボルト６５を支える力を発生させることができない。
そのため、座金端部１４２は、ボルト穴１４に落ち込んでボルト６５が傾き、薄肉部１３２を均等に塑性変形させることが困難となる。
【００６６】
図２２（ａ）、（ｂ）は、以上のような不具合を改善した座金を説明するための図である。図２２（ａ）は、平面図であり、図２２（ｂ）は断面図である。
座金１４５は、矩形形状を有しており、フランジ６１ｐの移動方向に長くなっている。
このため、ボルト６５が矢線Ｃ方向（ロータ部２４の回転方向と逆方向）に移動し、薄肉部１３２が塑性変形した場合でも、ボルトヘッドの中心から座金端部１４６までの何れかの位置で座金１４５がフランジ６１ｐの表面に接しているため、ボルトヘッドのボルト穴１４への落ち込みを防止することができる。
これにより、薄肉部１３２が塑性変形する際に、ボルト６５が傾くことを抑制することができ、薄肉部１３２を均等に塑性変形させることができる。
そのため、よりシミュレーションに忠実に薄肉部１３２を塑性変形させることができる。
【００６７】
なお、座金１４５の形状は、矩形形状に限らず、ボルト穴１４の形状に応じて各種考えられる。
例えば、ボルト穴１４に挿入したボルト６５のボルトヘッドとフランジ６１ｐとの間に介在するわけであるが、ロータ部２４の衝突でケーシング１６に生じるトルクによる衝撃によってボルト６５が薄肉部１３２方向に移動した位置において、座金１４５の前記ボルトヘッドの中心からロータ部２４の回転方向の座金端部１４６までの領域で、少なくともフランジ６１ｐに接している部分が存在するようにすればよい。
【００６８】
または、少なくとも、ボルト６５の中心からボルト穴１４のロータ部２４の回転方向の端部までの距離に、ロータ部２４の衝突でケーシング１６に生じるトルクによる衝撃によってボルト６５が薄肉部１３２方向に移動する移動量を加えた長さより、ボルト６５の中心から座金１４５のロータ部２４の回転方向の座金端部１４６までの距離が大きければよい。
あるいは、ボルト６５の移動後に、ボルト６５の中心からロータ部２４の回転方向に向かって、座金１４５の幅がボルト穴１４の幅よりも広いところがあればよい。
【００６９】
以上に説明したように、緩衝機構を形成する薄肉部を平板状に構成することにより、シミュレーションが容易となり、また加工も容易である。
そのため、緩衝機構を備えた分子ポンプの開発コスト、製造コストを低減することができる。
更に、薄肉部の塑性変形強度をボルトの破断強度より小さくすることにより、緩衝機構の緩衝機能を最大限に引き出すことができる。
また、フランジの移動方向が長手方向となる座金を用いることにより、薄肉部の塑性変形時におけるボルトの傾きを抑制することができ、薄肉部を均一に塑性変形させることができる。これにより、シミュレーションによって得た良好な緩衝機能を実現することができる。
【００７０】
以上、本発明の１実施形態について説明したが、本発明は説明した実施形態に限定されるものではなく、各請求項に記載した範囲において各種の変形を行うことが可能である。
【産業上の利用可能性】
【００７１】
真空装置や半導体装置などに装着する分子ポンプに適用することができる。
【図面の簡単な説明】
【００７２】
【図１】本実施の形態の分子ポンプの真空容器への取り付け形態の一例を示した図である。
【図２】本実施の形態の分子ポンプの軸線方向の断面図を示した図である。
【図３】フランジを分子ポンプの吸気口側から見たところを示した図である。
【図４】他の例に係るフランジを説明するための図である。
【図５】他の例に係るフランジを説明するための図である。
【図６】他の例に係るフランジを説明するための図である。
【図７】他の例に係るフランジを説明するための図である。
【図８】他の例に係るフランジを説明するための図である。
【図９】他の例に係るフランジを説明するための図である。
【図１０】他の例に係るフランジを説明するための図である。
【図１１】他の例に係るフランジを説明するための図である。
【図１２】他の例に係るフランジを説明するための図である。
【図１３】他の例に係るフランジを説明するための図である。
【図１４】他の例に係るフランジを説明するための図である。
【図１５】他の例に係るフランジを説明するための図である。
【図１６】他の例に係るフランジを説明するための図である。
【図１７】他の例に係るフランジを説明するための図である。
【図１８】他の例に係るフランジを説明するための図である。
【図１９】薄肉部の塑性変形強度とボルトの破断強度の関係を説明するための図である。
【図２０】薄肉部の塑性変形強度を決定するパラメータを説明するための図である。
【図２１】従来の座金を説明するための図である。
【図２２】本実施の形態の座金を説明するための図である。
【図２３】特許文献１で提案されている緩衝機構を備えたフランジを説明するための図である。
【符号の説明】
【００７３】
１  分子ポンプ
５  ねじ溝スペーサ
６  吸気口
７  らせん溝
８  磁気軸受部
９  変位センサ
１０  モータ部
１１  シャフト
１２  磁気軸受部
１３  変位センサ
１４  ボルト穴
１５  溝
１６  ケーシング
１７  変位センサ
１８  ステータコラム
１９  排気口
２０  磁気軸受部
２１  ロータ翼
２２  ステータ翼
２３  スペーサ
２４  ロータ部
２５  ボルト
２７  ベース
２９  円筒部材
４９  カラー
６１  フランジ
６２  フランジ
６５  ボルト
６６  ナット
７１  薄肉部
７２  空洞部
【図１】
2004162696.tif 000003
【図２】
2004162696.tif 000004
【図３】
2004162696.tif 000005
【図４】
2004162696.tif 000006
【図５】
2004162696.tif 000007
【図６】
2004162696.tif 000008
【図７】
2004162696.tif 000009
【図８】
2004162696.tif 000010
【図９】
2004162696.tif 000011
【図１０】
2004162696.tif 000012
【図１１】
2004162696.tif 000013
【図１２】
2004162696.tif 000014
【図１３】
2004162696.tif 000015
【図１４】
2004162696.tif 000016
【図１５】
2004162696.tif 000017
【図１６】
2004162696.tif 000018
【図１７】
2004162696.tif 000019
【図１８】
2004162696.tif 000020
【図１９】
2004162696.tif 000021
【図２０】
2004162696.tif 000022
【図２１】
2004162696.tif 000023
【図２２】
2004162696.tif 000024
【図２３】
2004162696.tif 000025